(57)【要約】【課題】本発明は、ケーブルの布設作業を適切に、且つ確実に行うことのできるケーブル布設移動システム及びケーブル布設固定システムを提供することを課題とする。【解決手段】ケーブルを布設移動する際、敷設方向に沿って布設しウインチで駆動する駆動用ロープに取り付けた連結体に又は吊り下げ調整体に設けられた連結体にケーブルの先端側に取り付けた第１ケーブルグリップ及び第２ケーブルグリップを連結し、駆動用ロープ又は吊り下げ調整体を駆動用ロープで布設方向に移動した後、該第２ケーブルグリップを用いて固定するシステムである。【選択図】図１
2013220001.tif 000002
【特許請求の範囲】
【請求項１】
ケーブルを布設移動する際、布設方向に沿って布設しウインチで駆動する駆動用ロープに取り付けた連結体に、又は駆動用ロープに連結した吊り下げ調整体に取り付けた連結体に、ケーブルの先端側に取り付けた第１ケーブルグリップを連結すると共に、ケーブルの中途部に取り付け先端が紐状に二分割した第２ケーブルグリップの紐状の一方側を次の連結体に順次連結した後、駆動用ロープを移動することで、駆動用ロープ又は吊り下げ調整体に、沿ってケーブルを布設方向に移動することを特徴とするケーブル布設移動システム。
【請求項２】
ケーブルを布設固定する際、布設方向に沿って布設した駆動用ロープに取り付けた連結体に、又は駆動用ロープに連結した吊り下げ調整体に取り付けた連結体に、ケーブルの先端側に取り付けた第１ケーブルグリップを連結し、次の連結体にケーブルの中途部に取り付けられ先端が紐状に二分割した第２ケーブルグリップの紐状に二分割した一方の紐状部を連結し布設方向に移動した後、駆動用ロープ又は吊り下げ調整体の先端側を固定部材に固定すると共に、又は第２ケーブルグリップの二分割した他方の紐状部を利用して固定部材に固定することを特徴とするケーブル布設固定システム。
【発明の詳細な説明】
【技術分野】
【０００１】本発明は、例えば屋内に通信用等のケーブルを布設する際に使用するケーブルの布設移動システム、及びケーブル布設固定システムに関する。
【背景技術】
【０００２】従来、通信用のケーブル、制御用のケーブルを設置、及び配線する場合は、特に高層ビル内に垂直状態に布設する場合は、予め、牽引索としてのロープを布設方向に沿って布設し、該ロープにケーブルグリップで先端側を被覆・把持して取り付けたケーブルを連結した後、ロープを巻き取ることでケーブルを布設位置まで移動することケーブルの布設移動を行っていた。【０００３】また、上記布設移動したケーブルは別体のケーブル固定具を用いて布設場所の固定部材に垂直状態で固定することでケーブルの布設固定を行っていた。
【発明が解決しようとする課題】
【０００４】しかしながら、上記従来のケーブルの布設は、垂直状態でケーブルを移動するために布設したロープの先端側の連結部にケーブルの荷重がかかりスムーズにロープを移動できない欠点があった。
【０００５】また、ケーブルを布設移動した後、別体の固定具を用いて固定部材にケーブルを固定することで布設固定していたが、固定具を固定する際の作業が煩雑である欠点があった。
【０００６】さらに、布設したロープに沿ってケーブルの先端側のみを連結した状態で移動すると、ケーブルが布設場所に接触して移動するために、ケーブルの損傷等の原因となる欠点があった。
【０００７】また、ケーブルを取り付け固定する際、中間取り付け部材のない取り付け場所の場合では、ケーブルを安定して固定できない問題点があった。
【０００８】そこで、本発明は上記問題点を解消すべく、ケーブルをスムーズに移動でき、ケーブルの固定が容易で、移動時のケーブルの損傷等のないケーブルの布設移動システム及びケーブル布設固定システムを提供すること課題とする。
【課題を解決するための手段】
【０００９】本発明は上記課題を解決するケーブル布設移動システムは、請求項１に記載のように、ケーブルを布設移動する際に、布設方向に沿って布設しウインチで駆動する駆動用ロープに取り付けた連結体に又は駆動用ロープに連結した吊り下げ調整体に取り付けた連結体に、ケーブルの先端側に取り付けた第１ケーブルグリップを連結すると共に、ケーブルの中途部に取り付け先端が紐状に二分割した第２ケーブルグリップの紐状の一方側を次の連結体に順次連結した後、駆動用ロープを移動することで、駆動用ロープ又は吊り下げ調整体に沿ってケーブルを布設方向に移動することを特徴とする。
【００１０】また上記課題を解決するケーブル布設固定システムは、請求項２に記載のように、ケーブルを布設固定する際、布設方向に沿って布設した駆動用ロープに取り付けた連結体に又は駆動用ロープに連結した吊り下げ調整体に取り付けた連結体にケーブルの先端側に取り付けた第１ケーブルグリップを連結し、次の連結体にケーブルの中途部に取り付けられ先端が紐状に二分割した第２ケーブルグリップの紐状に二分割した一方の紐状部を連結し、布設方向に移動した後、駆動用ロープ又は吊り下げ調整体の先端側を固定部材に固定すると共に、又は第２ケーブルグリップの二分割した他方の紐状部を利用して固定部材に固定することを特徴とする。
【発明の作用・効果】
【００１１】次に、本発明のケーブル布設移動システムの作用及び効果について説明する。
【００１２】先ず、ケーブルの布設方向に沿って滑車を介して駆動用ロープを移動する。
【００１３】次に、駆動用ロープに連結体を複数個取り付け、各連結体間を調整する。
【００１４】次に、ケーブルの先端側を第１ケーブルグリップで被覆・把持すると共にケーブルの中途部を順次第２ケーブルグリップで被覆・把持する。
【００１５】その後、第１ケーブルグリップの先端側及び各第２ケーブルグリップの紐状に二分割した一方の紐状部をそれぞれ前記連結体に連結する。
【００１６】次に、ウインチで駆動用ロープを移動することでケーブルを布設方向に沿って移動する。
【００１７】又は、吊り張り調整体に連結体を複数個取り付け、各連結体間を調整した後、該吊り下げ調整体の先端側を前記駆動用ロープに連結する。
【００１８】次に、ケーブルの先端側を第１ケーブルグリップで被覆・把持すると共にケーブルの中途部を順次第２ケーブルグリップで被覆・把持する。
【００１９】その後、第１ケーブルグリップの先端側及び各第２ケーブルグリップの紐状に二分割した一方の紐状部をそれぞれ前記吊り下げ調整体の連結体に連結する。
【００２０】次に、ウインチで駆動用ロープを移動することで吊り下げ調整体を布設方向に移動すると共に、該吊り下げ調整体に沿ってケーブルを布設方向に沿って移動する。
【００２１】この際、ケーブルは第１ケーブルグリップ及び第２ケーブルグリップで、駆動用ロープ又は吊り下げ調整体に連結されているために、ケーブルの荷重を連結部分で分散して移動でき、特に垂直方向に布設する場合に、ケーブルの荷重を分散して移動することができる。
【００２２】しかも、ケーブルが複数箇所で駆動用ロープ又は吊り下げ調整体に連結されているために、ケーブルが駆動用ロープ又は吊り下げ調整体に支持されて移動し、移動時のケーブルの磨耗等を解消できる。
【００２３】次に、本発明のケーブル布設固定システムの作用及び効果について説明する。
【００２４】上記ケーブルを布設位置に駆動用ロープに沿って移動した状態で、駆動用ロープを固定し、次に第２ケーブルグリップの二分割した他方の紐状部を布設場所の固定部材に直接固定する。
【００２５】又は、上記ケーブルを布設位置に吊り下げ調整体に沿って移動した状態で、吊り下げ調整体の先端側を固定するか、又はケーブルの中途部に被覆し把持した第２ケーブルグリップの二分割した他方の紐状部を布設場所の固定部材に直接固定する。
【００２６】その後、駆動用ロープとの連結を解除することでケーブルの布設固定を行う。
【００２７】この際、ケーブルは第１ケーブルグリップ及び第２ケーブルグリップで吊り張り調整体に連結しているので、ケーブルを適切に位置させて容易に固定することができる。
【００２８】また、固定部材の位置に応じて駆動用ロープ又は吊り張り調整体に取り付けられた連結体の位置を調整し、該連結体の位置に応じて第２ケーブルグリップをケーブルに取り付けて適切に固定できる。
【００２９】さらに、固定部材が少ない布設場所においても、ケーブルは吊り張り調整体に沿って布設しているために安定した状態で布設することができる。
【００３０】このように、ケーブルに取り付けた中途部の第２ケーブルグリップを利用してケーブルを固定できると共に、吊り張り調整体に沿ってケーブルを固定できるので、別体の固定具を使用する場合に比し、固定作業が適切に行える。
【００３１】本発明のケーブル布設移動システム及びケーブル布設固定システムは、ケーブルの移動がスムーズに行え、作業性に優れたシステムを提供することができる。
【発明を実施するための最良の実施の形態】
【００３２】以下、本発明のケーブル布設移動システム及びケーブル布設固定システムの一実施例について図面に沿って説明する。
【００３３】図１は本発明のケーブル布設移動システムの第１実施例を示す概略説明正面図であり、図２は本発明のケーブル布設固定システムの第１実施例を示す概略説明正面図であり、図３は本発明のケーブル布設移動システムの第２実施例を示す概略説明正面図であり、図４は本発明のケーブル布設移動システムの第２実施例を示す概略説明正面図であり、図５はケーブル布設移動システムのフローチャートを示し、図６、図７はケーブル布設固定システムのフローチャートを示す。
【００３４】（第１実施例）本発明のケーブル布設移動システム、及びケーブル布設固定システムは、下記のように構成された装置を用いて行う。
【００３５】即ち、上記装置は、ケーブル布設方向である垂直方向に沿って取り付けた滑車１０と滑車１０間に布設した駆動用ロープ１２と、該駆動用ロープ１２に取り付けられた複数個の連結体１４と、先端の連結体１４に連結しケーブル２の先端側に被覆・把持して取り付けた第１ケーブルグリップ３と、順次次の連結体１４に連結しケーブル２の中途部を被覆・把持して取り付けた第２ケーブルグリップ４とから構成されている。
【００３６】前記連結体１４は駆動用ロープ１２に上下固定具８間で移動自在に挿通されより戻し機構を有する。従って、第１ケーブルグリップ３と、第２ケーブルグリップ４の連結時に余裕を持って連結できる。
【００３７】前記第１ケーブルグリップ３は、先端側に連結体１４に連結する紐状の先端紐状部３Ａが形成され、前記第２ケーブルグリップ４は、連結体１４への連結及び固定用の二分割した紐状部４Ａ、４Ｂが先端側に形成されている。
【００３８】次に、ケーブル布設移動システムについて説明する。
【００３９】先ず、布設方向に沿って滑車１０を取り付け、該滑車１０間にウインチで駆動する駆動用ロープ１２を布設する。
【００４０】次に、ケーブル２の先端側に第１ケーブルグリップ３を被覆し強固にケーブル２を把持すると共に、ケーブル２の中途部に第２ケーブルグリップ４を被覆し強固にケーブル２を把持する。
【００４１】その後、第１ケーブルグリップ３の先端紐状部３Ａを駆動用ロープ１２の先端の連結体１４に連結し、ウインチを駆動し駆動用ロープ１２に沿ってケーブル２を布設方向に沿って移動すると共に第２ケーブルグリップの二分割した一方の紐状部４Ａを次の連結体１４に連結しながら順次ケーブル２を移動する。
【００４２】このため、ケーブル２は安定した状態で駆動用ロープ１２に沿って移動でき、また、ケーブル２の荷重も第１ケーブルグリップ３及び第２ケーブルグリップ４の連結部分で分散して移動することができる。
【００４３】次に、布設移動したケーブル２をケーブル布設固定システムで固定する場合について説明する。
【００４４】先ず、駆動用ロープ１２を固定することでケーブル２の布設位置を確定し、第２ケーブルグリップ４の他方の紐状部４Ｂを布設場所の固定部材２０に固定し、ケーブル２の布設固定を行う。
【００４５】（第２実施例）上記実施例では、駆動用ロープ１２に直接連結したが、駆動用ロープ１２に棒状（又はロープ等）の吊り下げ調整体７に連結体１４を取り付け、該吊り下げ調整体７を利用してケーブル２を布設移動するシステムについて説明する。
【００４６】先ず、布設方向に沿って上端側にウインチで駆動する駆動用ロープ１２を下方側に引き出し移動し、吊り下げ調整体７の先端側と連結する。
【００４７】次に、ケーブル２の先端側に第１ケーブルグリップ３を被覆し強固にケーブル２を把持すると共に、ケーブル２の中途部Ｆに第２ケーブルグリップ４を被覆し強固にケーブル２を把持する。
【００４８】上記第２ケーブルグリップ４の取り付け数は、布設部分のケーブル２の長さ及び重量、及び布設場所の固定部材の位置に応じて所望の間隔でケーブル２に取り付ける。
【００４９】その後、第１ケーブルグリップ３の先端紐状部３Ａを吊り下げ調整体７の先端の連結体１４に連結し、ウインチを駆動し吊り張り調整体７に沿ってケーブル２を布設方向に沿って移動すると共に第２ケーブルグリップ４の二分割した一方の紐状部４Ａを次の連結体１４に連結しながら順次吊り下げ調整体７に沿ってケーブル２を移動する。
【００５０】次に、本発明のケーブル布設固定システムは、上記ケーブル布設移動システムで、布設方向に沿って布設位置に位置したケーブル２を固定することでケーブル２の固定を行うシステムである。
【００５１】先ず、ケーブル２の中途部に被覆し把持した複数の第２ケーブルグリップ４の二分割した他方の紐状部４Ｂを固定材料２０に固定する。
【００５２】この際、ケーブル２は吊り下げ調整体７に連結しているために、安定した状態でケーブル２を固定できる。
【００５３】また、ケーブル２を連結する吊り下げ調整体７の連結体１４は、固定具８間で移動調整できるので、固定部材２０に位置に合わせた上下方向の微調整を行うことができる。
【００５４】そして、上記吊り下げ調整体７の先端側を固定部材２０に固定し、駆動用ロープ１２より取り外し布設固定することができる。
【００５５】また、ケーブル２は吊り下げ調整体７に沿って布設されているために、第２ケーブルグリップ４の紐状部４Ｂ部分で固定しなくても、安定した状態で布設することができる。
【００５６】尚、固定部材２０布設場所の中間部にない場合は、吊り下げ調製体７のみを固定することでケーブル２を布設することができる。
【００５７】このように、本発明のケーブル布設移動システム及びケーブル布設固定システムは、ケーブル２の布設が容易であり、布設後のケーブル２の固定も適切に行える。
【００５８】このように、本発明のケーブル布設移動システムは、ケーブルの布設をスムーズに行え、またケーブル布設固定システムは、ケーブルの固定が簡易な作業で行える。
【００５９】上記実施例では、ケーブル２を垂直方向に移動する場合について説明したが、本発明のケーブル布設移動システム及びケーブル布設固定システムは、ケーブル２の水平方向への移動に際しても利用することができる。
【００６０】この際も同様に、第２ケーブルグリップ４の一方の紐状部４Ａを駆動用ロープ１２に連結し、ケーブル２を布設移動した後、第２ケーブルグリップ４の他方の紐状部４Ｂを固定部材２０に固定することで容易にケーブル２を布設固定できる。
【図面の簡単な説明】
【００６１】
【図１】本発明のケーブル布設移動システムの第１実施例を示す概略説明正面図
【図２】本発明のケーブル布設固定システムの第１実施例を示す概略説明正面図
【図３】本発明のケーブル布設移動システムの第２実施例を示す概略説明正面図
【図４】本発明のケーブル布設固定システムの第２実施例を示す概略説明正面図
【図５】本発明のケーブル布設移動システムを示すフローチャート
【図６】本発明のケーブル布設固定システムを示すフローチャート
【図７】本発明のケーブル布設固定システムを示すフローチャート
【符号の説明】
【００６２】２−ケーブル、３−第１ケーブルグリップ、４−第２ケーブルグリップ
【図１】
2013220001.tif 000003
【図２】
2013220001.tif 000004
【図３】
2013220001.tif 000005
【図４】
2013220001.tif 000006
【図５】
2013220001.tif 000007
【図６】
2013220001.tif 000008
【図７】
2013220001.tif 000009